(57)【要約】  ロープが破損を発生しにくくすることができるエレベータの楔式ロープ留め装置を得る。第１の内壁面１ａと、第１の内壁面１ａに対して傾斜した第２の内壁面１ｂとを有する貫通孔１が形成されたソケット２と、第１の外壁面３ａと、第１の外壁面３ａに対して傾斜した第２の外壁面３ｂとを有し、ロープ５が巻き掛けられ、第１の内壁面１ａと第１の外壁面３ａとの間と、第２の内壁面１ｂと第２の外壁面３ｂとの間にロープ５が挟まれる楔３とを備え、第１の外壁面３ａに対する第２の外壁面３ｂの傾斜角度は、第１の内壁面１ａに対する第２の内壁面１ｂの傾斜角度よりも大きい。
2011114514.tif 000002
【特許請求の範囲】
【請求項１】
第１の内壁面と、前記第１の内壁面に対して傾斜した第２の内壁面とを有する貫通孔が形成されたソケットと、
第１の外壁面と、前記第１の外壁面に対して傾斜した第２の外壁面とを有し、ロープが巻き掛けられ、前記第１の内壁面と前記第１の外壁面との間と、前記第２の内壁面と前記第２の外壁面との間に前記ロープが挟まれる楔とを備え、
前記第１の外壁面に対する前記第２の外壁面の傾斜角度は、前記第１の内壁面に対する前記第２の内壁面の傾斜角度よりも大きいことを特徴とするエレベータの楔式ロープ留め装置。
【請求項２】
前記ソケットは、鋼鉄から構成されていることを特徴とする請求項１に記載のエレベータの楔式ロープ留め装置。
【請求項３】
前記第１の内壁面、前記第２の内壁面、前記第１の外壁面および前記第２の外壁面の少なくとも一つに設けられ、前記ロープとの間に作用する摩擦力を低減させる低摩擦被覆体をさらに備えたことを特徴とする請求項１または請求項２に記載のエレベータの楔式ロープ留め装置。
【請求項４】
前記低摩擦被覆体は、塗料であることを特徴とする請求項３に記載のエレベータの楔式ロープ留め装置。
【請求項５】
前記低摩擦被覆体は、金属メッキであることを特徴とする請求項３に記載のエレベータの楔式ロープ留め装置。
【発明の詳細な説明】
【技術分野】
【０００１】
この発明は、ロープの端部に取り付けられるエレベータの楔式ロープ留め装置に関する。
【背景技術】
【０００２】
従来、ロープの端部が折り返されてループ部分が形成され、このループ部分の内側に楔が配置された状態で、ロープおよび楔がソケットのテーパ状に形成された貫通孔に挿入されるエレベータの楔式ロープ留め装置が知られている。ロープに引張荷重が作用することにより、ロープおよび楔が貫通孔に引き込まれて、ソケットの内壁面と楔との間にロープが挟まれる（例えば、特許文献１参照）。
【先行技術文献】
【特許文献】
【０００３】
【特許文献１】特開２００６−７６７９１号公報
【発明の概要】
【発明が解決しようとする課題】
【０００４】
しかしながら、ロープに作用する引張荷重が大きくなると、楔が貫通孔にさらに引き込まれ、楔の先端部が貫通孔を貫通してソケットから突出するようになる。これにより、ソケットの内壁面と楔とに押圧されるロープの面積が小さくなる。その結果、ソケットの内壁面と楔との間に挟持されているロープの部分に生じる圧縮応力が大きくなる。貫通孔の出口付近におけるロープの部分は、圧縮応力により太さが小さくなってしまい、引張強度が低下する。したがって、引張荷重が作用することにより、貫通孔の出口付近におけるロープの部分における破損が発生しやすくなるという問題点があった。【０００５】
この発明は、ロープの破損を発生しにくくすることができるエレベータの楔式ロープ留め装置を提供するものである。
【課題を解決するための手段】
【０００６】
この発明に係るエレベータの楔式ロープ留め装置は、第１の内壁面と、前記第１の内壁面に対して傾斜した第２の内壁面とを有する貫通孔が形成されたソケットと、第１の外壁面と、前記第１の外壁面に対して傾斜した第２の外壁面とを有し、ロープが巻き掛けられ、前記第１の内壁面と前記第１の外壁面との間と、前記第２の内壁面と前記第２の外壁面との間に前記ロープが挟まれる楔とを備え、前記第１の外壁面に対する前記第２の外壁面の傾斜角度は、前記第１の内壁面に対する前記第２の内壁面の傾斜角度よりも大きい。
【発明の効果】
【０００７】
この発明に係るエレベータの楔式ロープ留め装置によれば、第１の外壁面に対する第２の外壁面の傾斜角度は、第１の内壁面に対する第２の内壁面の傾斜角度よりも大きいので、ロープに引張荷重が作用することによりロープおよび楔が貫通孔に引き込まれたときに、貫通孔の出口付近におけるロープの部分に作用する圧縮応力は、貫通孔の入口付近におけるロープの部分に作用する圧縮応力よりも小さくなる。これにより、貫通孔の出口付近におけるロープの部分の破損の発生が抑制され、ロープの破損を発生しにくくすることができる。
【図面の簡単な説明】
【０００８】
【図１】この発明の実施の形態１に係るエレベータの楔式ロープ留め装置を示す正面図である。
【図２】図１のロープに引張荷重が作用した状態のエレベータの楔式ロープ留め装置を示す正面図である。
【発明を実施するための形態】
【０００９】
実施の形態１．
図１はこの発明の実施の形態１に係るエレベータの楔式ロープ留め装置を示す正面図である。図において、エレベータの楔式ロープ留め装置は、貫通孔１が形成された鋼鉄製のソケット２と、貫通孔１に挿入される高分子材料製の楔３と、ソケット２に固定されたシャックルロッド４とを備えている。シャックルロッド４は、昇降路、かごまたは釣合い錘に対して接続される。
【００１０】
貫通孔１は、第１の内壁面１ａと、第１の内壁面１ａに対して傾斜した第２の内壁面１ｂとを有している。楔３は、貫通孔１の入口から出口に向かって挿入される。貫通孔１の入口における第１の内壁面１ａと第２の内壁面１ｂとの間の距離は、貫通孔１の出口における第１の内壁面１ａと第２の内壁面１ｂとの間の距離よりも大きくなっている。
【００１１】
楔３は、第１の外壁面３ａと、第１の外壁面３ａに対して傾斜した第２の外壁面３ｂとを有している。楔３は、第１の外壁面３ａと第２の外壁面３ｂとの間の距離が狭くなっている部分から貫通孔１に挿入される。楔３が貫通孔１に挿入されたときに、第１の外壁面３ａと第１の内壁面１ａとが対向し、第２の外壁面３ｂと第２の内壁面１ｂとが対向するようになっている。
【００１２】
第１の外壁面３ａに対する第２の外壁面３ｂの傾斜角度βは、第１の内壁面１ａに対する第２の内壁面１ｂの傾斜角度αよりも大きくなっている。また、傾斜角度βは、傾斜角度αに３°を加えた角度以下となっている。つまり、傾斜角度αと傾斜角度βとの関係は、下記の式（１）を満たすようになっている。
α＜β≦α＋３      （１）
【００１３】
楔３には、ロープ５の端部が巻き掛けられている。ロープ５の端部は、楔３に巻き掛けられることにより折り返されている。ロープ５は、ロープ本体５ａと、ロープ本体５ａに連続して設けられ、円弧状に曲げられた円弧部５ｂと、円弧部５ｂのロープ本体５ａとは反対側の部分に連続して設けられた戻り部５ｃとを有している。ロープ本体５ａは、シャックルロッド４と反対側に向かってソケット２から延びている。戻り部５ｃは、締結具６を用いて、ロープ本体５ａに締結されている。
【００１４】
楔３は、ロープ５が楔３に巻き掛けられた状態で、貫通孔１に挿入される。このとき、ロープ本体５ａが第１の内壁面１ａと第１の外壁面３ａとの間に挟まれ、戻り部５ｃが第２の内壁面１ｂと第２の外壁面３ｂとの間に挟まれる。
【００１５】
第１の内壁面１ａ、第２の内壁面１ｂ、第１の外壁面３ａおよび第２の外壁面３ｂには、ロープ５との間に作用する摩擦力を低減させるフッ素塗料（低摩擦被覆体）が塗布されている。
【００１６】
次に、動作について説明する。図２は図１のロープ５に引張荷重が作用した状態のエレベータの楔式ロープ留め装置を示す正面図である。ロープ５に引張荷重が作用することにより、楔３および楔３に巻き掛けられたロープ５の部分が貫通孔１の出口に向かって引き込まれる。楔３が貫通孔１の出口に向かって引き込まれることにより、ロープ本体５ａが第１の内壁面１ａと第１の外壁面３ａとの間に挟まれ、戻り部５ｃが第２の内壁面１ｂと第２の外壁面３ｂとの間に挟まれる。これにより、ロープ本体５ａおよび戻り部５ｃには、圧縮応力が作用する。このとき、第１の外壁面３ａに対する第２の外壁面３ｂの傾斜角度βは、第１の内壁面１ａに対する第２の内壁面１ｂの傾斜角度αよりも大きくなっているので、貫通孔１の出口付近におけるロープ本体５ａの部分に作用する圧縮応力は、貫通孔１の入口付近におけるロープ本体５ａの部分に作用する圧縮応力よりも小さくなる。これにより、貫通孔１の出口付近におけるロープ本体５ａの部分における太さｄ２は、貫通孔１の入口付近におけるロープ本体５ａの部分における太さｄ１よりも大きくなる。その結果、貫通孔１の出口付近におけるロープ本体５ａの部分の引張強度は、貫通孔１の入口付近におけるロープ本体５ａの部分の引張強度よりも大きくなる。
【００１７】
以上説明したように、この発明の実施の形態１に係るエレベータの楔式ロープ留め装置によれば、第１の外壁面３ａに対する第２の外壁面３ｂの傾斜角度βが第１の内壁面１ａに対する第２の内壁面１ｂの傾斜角度αよりも大きいので、ロープ５に引張荷重が作用することによりロープ５および楔３が貫通孔１に引き込まれたときに、貫通孔１の出口付近におけるロープ本体５ａの部分に作用する圧縮応力は、貫通孔１の入口付近におけるロープ本体５ａの部分に作用する圧縮応力よりも小さくなる。これにより、貫通孔１の出口付近におけるロープ本体５ａの部分の引張強度は、貫通孔１の入口付近におけるロープ本体５ａの部分の引張強度よりも大きくなる。その結果、貫通孔１の出口付近におけるロープ５の部分の破損の発生が抑制され、ロープ５の破損を発生しにくくすることができる。特に、ロープ５として、全体の太さを変えずに外層ストランドが多い多層ストランドロープを用いた場合には、外層ストランドを構成するワイヤの太さが細くなり、このワイヤが切れやすくなるが、貫通孔１の出口付近におけるロープ５の部分に作用する圧縮応力は、貫通孔１の入口付近におけるロープ本体５ａの部分に作用する圧縮応力よりも小さいので、貫通孔１の出口付近における外層ストランドのワイヤの断線が防がれ、ロープ５の引張強度を向上させることができる。
【００１８】
また、ソケット２は、鋼鉄から構成されているので、ロープ５に引張荷重が作用したときに、ソケット２が変形することを抑制することができる。
【００１９】
また、楔３は、高分子材料から構成されているので、成形を容易にすることができる。
【００２０】
また、第１の内壁面１ａおよび第２の内壁面１ｂには、フッ素塗料が塗布されているので、第１の内壁面１ａとロープ５との間と、第２の内壁面１ｂとロープ５との間に作用する摩擦力を低減させることができる。これにより、摩擦係数が大きい樹脂によりロープ５が被覆されている場合であっても、ロープ５に引張荷重が作用するときに、第１の内壁面１ａおよび第２の内壁面１ｂに対してロープ５が滑らないことにより発生する貫通孔１へのロープ５の引き込み不足を防ぐことができる。その結果、貫通孔１へのロープ５の引き込み不足により発生する第１の内壁面１ａおよび第２の内壁面１ｂとロープ５との接触面積の減少が防止され、第１の内壁面１ａおよび第２の内壁面１ｂからロープ５へ作用する圧縮応力の増大が防止されて、ロープ５の破断を防止することができる。
【００２１】
また、第１の外壁面３ａおよび第２の外壁面３ｂには、フッ素塗料が塗布されているので、第１の外壁面３ａとロープ５との間と、第２の外壁面３ｂとロープ５との間に作用する摩擦力を低減させることができる。これにより、摩擦係数が大きい樹脂によりロープ５が被覆されている場合であっても、ロープ５に引張荷重が作用するときに、第１の外壁面３ａおよび第２の外壁面３ｂに対してロープ５が滑らないことにより発生する円弧部５ｂと楔３との間での隙間の形成が防止され、第１の外壁面３ａおよび第２の外壁面３ｂからロープ５へ作用する圧縮応力の増大が防止されて、ロープ５の破断を防止することができる。
【００２２】
また、低摩擦被覆体は、フッ素塗料であるので、第１の内壁面１ａ、第２の内壁面１ｂ、第１の外壁面３ａおよび第２の外壁面３ｂに低摩擦被覆体を容易に設けることができる。
【００２３】
なお、上記実施の形態１では、第１の内壁面１ａ、第２の内壁面１ｂ、第１の外壁面３ａおよび第２の外壁面３ｂに低摩擦被覆体が塗布されたエレベータの楔式ロープ留め装置について説明したが、低摩擦被覆体が塗布されず、第１の内壁面１ａ、第２の内壁面１ｂ、第１の外壁面３ａおよび第２の外壁面３ｂが露出したエレベータの楔式ロープ留め装置であってもよい。また、第１の内壁面１ａ、第２の内壁面１ｂ、第１の外壁面３ａおよび第２の外壁面３ｂの何れか１つのみに低摩擦被覆体が設けられたエレベータの楔式ロープ留め装置であってもよい。
【００２４】
また、上記実施の形態１では、第１の内壁面１ａ、第２の内壁面１ｂ、第１の外壁面３ａおよび第２の外壁面３ｂに設けられた低摩擦被覆体をフッ素塗料としたが、フッ素塗料に限定されず、低摩擦被覆体を金属メッキとしてもよい。
【符号の説明】
【００２５】
１  貫通孔、１ａ  第１の内壁面、１ｂ  第２の内壁面、２  ソケット、３  楔、３ａ  第１の外壁面、３ｂ  第２の外壁面、４  シャックルロッド、５  ロープ、５ａ  接続部、５ｂ  円弧部、５ｃ  戻り部、６  締結具。
【図１】
2011114514.tif 000003
【図２】
2011114514.tif 000004
【国際調査報告】
2011114514.tif 000005
2011114514.tif 000006
2011114514.tif 000007
2011114514.tif 000008
2011114514.tif 000009
2011114514.tif 000010
2011114514.tif 000011